(57)【要約】　　　（修正有）【課題】受信コイルの一部である脳定位固定具で被検体の頭部を固定したままで、手術やＭＲＩ撮影を行うとともにＸ線撮影も行うことのできるＭＲＩ装置用受信コイルを提供する。【解決手段】受信コイルは分割型とし下側は被検体を寝台に固定された半円状の固定具とし、上側は半円状のループ導電体とから構成する。下側コイルは固定具を非磁性かつ導電性を有し、Ｘ線透過率の高いカーボン材とし、上側はアルミ材からなりＸ線撮影時に取り外し可能な構成とした。【選択図】　　　図３
2004097431.tif 000002
【特許請求の範囲】
【請求項１】
寝台に横たわされた被検体を、半円状で下側から囲うように固定する、寝台に設置された固定具と、上記半円状の固定具の両側から伸び上記被検体を囲みループを形成させる導電体と、上記固定具と導電体を接続する中継コネクタとから成っている磁気共鳴イメージング装置用受信コイルにおいて、上記固定具は非磁性かつ導電性を有し、Ｘ線透過率の高い材質から構成されていることを特徴とする磁気共鳴イメージング装置用受信コイル。
【発明の詳細な説明】
【０００１】
【発明の属する技術分野】
本発明は、磁気共鳴イメージング装置（以下、ＭＲＩ装置という）用の受信コイルに係り、特に撮影を行ないながら手術や治療を行うＩｎｔｅｒｖｅｎｔｉｏｎａｌ　ＭＲＩ（以下、Ｉ−ＭＲという）において、手術中にＭＲＩ撮影を行うとともに、Ｘ線撮影も行うことに好適なＭＲＩ装置用受信コイルに関する。
【０００２】
【従来の技術】
ＭＲＩ装置は、静磁場中に置かれた被検体に対し高周波パルスを照射することで、被検体中の原子核の核スピンが励起され核磁気共鳴信号を発生させる。このとき、傾斜磁場を所定のシーケンスで印加することにより、核磁気共鳴信号に位置的な情報が与えられ、この核磁気共鳴信号を画像再構成することにより被検体内の断層像を得ることができる。ＭＲＩ装置では、Ｘ線等による被曝がなく、また傾斜磁場の印加の仕方により任意の断面像を得ることができ、さらには内臓や脳等の軟部組織の分解能に優れているため、現在様々な用途に用いられている。
【０００３】
また最近では、静磁場を発生するための磁石（超電導磁石、永久磁石等）を上下に配置したオープン型のＭＲＩ装置を手術室内に置いて、被検体を配置した空間の側方から手術や治療等を行なうＩ−ＭＲが行われている。
【０００４】
Ｉ−ＭＲにおいて例えば頭部の手術を行なう場合に、脳定位固定具によって頭部（脳）を固定し、内視鏡や顕微鏡を使用して腫瘍の摘出手術等が行われる。この時、脳定位固定具を受信コイルの一部としても兼ねる例がある（非特許文献１）。
【０００５】
【非特許文献１】
Ｈｉｒｏｋｉ　Ｔａｎｉｇｕｃｈｉ，　ｅｔ　ａｌ　“Ｄｅｖｅｌｏｐｍｅｎｔ　ｏｆ　Ｈｉｔｃｈｃｏｃｋ　ｓｔｅｒｅｏｔａｃｔｉｃ　ｆｒａｍｅ　ｆｏｒ　ｉｎｔｒａｏｐｅｒａｔｉｖｅ　ｏｐｅｎ　ＭＲＩ”　Ｃｏｍｐｕｔｅｄ　Ａｓｓｉｓｔｅｄ　Ｒａｄｉｏｌｏｇｙ　ａｎｄ　Ｓｕｒｇｅｒｙ，　Ｐｒｏｃｅｅｄｉｎｇｓ　ｏｆ　ｔｈｅ　１６ｔｈ　Ｉｎｔｅｒｎａｔｉｏｎａｌ　Ｃｏｎｇｒｅｓｓ　ａｎｄ　Ｅｘｈｉｂｉｔｉｏｎ，　予稿集Ｐ１４４−１４９。
上記文献では、受信コイルを上部と下部の２つに分け、下部を脳定位固定具としても用い、材質をアルミニウムとしていた。
【０００６】
【発明が解決しようとする課題】
しかし、手術をしながらＭＲＩ診断をするとともに、同一室内でＸ線診断をする手法が臨床上有用になっている。その際アルミニウム材質の下部の受信コイルによって、被検体の頭部を固定したままで寝台をＸ線診断装置へ移動させ頭部Ｘ線撮影を行うと、アルミニウムのＸ線透過率が低いため、アルミニウムのコイル部材がＸ線画像の障害となるという問題を有していた。
【０００７】
本発明の目的は、受信コイルの一部である脳定位固定具で被検体の頭部を固定したままで、手術やＭＲＩ撮影を行うとともにＸ線撮影も行うことのできるＭＲＩ装置用受信コイルを提供することにある。
【０００８】
【課題を解決するための手段】
上記目的を達成するために、寝台に横たわされた被検体を、半円状で下側から囲うように固定する、寝台に設置された固定具と、上記半円状の固定具の両側から伸び上記被検体を囲みループを形成させる導電体と、上記固定具と導電体を接続する中継コネクタとから成っている磁気共鳴イメージング装置用受信コイルにおいて、上記固定具は非磁性かつ導電性を有し、Ｘ線透過率の高い材質から構成されているものとする。
【０００９】
【発明の実施の形態】
本発明の実施形態を図を用いて説明する。
【００１０】
本発明の実施形態において適用されるＭＲＩ装置の構成を図１に示す。１は静磁場発生用磁石であり、被検体５の周囲に静磁場を発生する。オープンＭＲＩ装置の場合、被検体の体軸に対して垂直方向に静磁場を発生させる方式となっている。２は上記被検体５の周囲に傾斜磁場を発生する傾斜磁場コイル、３は上記被検体５の周囲に高周波磁場を発生するＲＦ照射コイル、４ａは上部受信コイル、４ｂは脳定位固定具も兼ねる下部受信コイル、５は被検体、６は寝台である。
【００１１】
図１における上部受信コイル４ａと下部受信コイル４ｂを拡大した図を、図２（ａ）及び図２（ｂ）に示す。ただし、図２（ａ）に被検体及び受信コイルを被検体の側面方向から見た図、図２（ｂ）に被検体及び受信コイルを被検体の頭頂方向から見た図を示す。４ｃは中継コネクタ、７は被検体の頭部である。下部受信コイル４ｂは、寝台６にはめ込むことにより固定する。上部受信コイル４ａは、中継コネクタ４ｃを介して下部受信コイル４ｂに接続する。
【００１２】
本発明の実施形態において適用される受信コイルは、上部受信コイル４ａは従来の技術で示したＨｉｔｃｈｃｏｃｋ　ｆｒａｍｅの場合と同様にアルミニウムで構成されている。一方下部受信コイル４ｂは、Ｘ線透過率の高い材質であるカーボンでできている。
【００１３】
次に本発明の実施形態において適用されるＸ線診断装置の構成を図３に示す。１５は２次元Ｘ線検出器、１６はＸ線管、１７はＣアームである。本装置を用いＸ線撮影を行う際　には、上部受信コイル４ａは取りはずされ、下部受信コイル４ｂのみで被検体の頭部７を固定する。これを拡大して示すと、図４のようになる。ただし、図４（ａ）に被検体及び　受信コイルを被検体の側面方向から見た図、図４（ｂ）に被検体及び受信コイルを被検体の頭頂方向から見た図を示す。
【００１４】
本発明の実施形態において適用される下部受信コイル４ｂは、Ｘ線透過率の高い材質であるカーボンでできているため、下部受信コイル４ｂを用い被検体の頭部７を固定しＸ線撮影する場合、アルミニウムを用いていた時のようにＸ線画像上に下部受信コイルの影が発生せず、臨床上支障のないＸ線画像が得られる。
【００１５】
以上のように、本実施形態では脳定位固定具も兼ねる下部受信コイル４ｂがカーボンより構成されているため、被検体の頭部を下部受信コイル４ｂで寝台６に固定した状態で手術、ＭＲＩ撮影及びＸ線撮影ができる。
【００１６】
本発明は上記実施形態に限定されるものではなく、本発明の要旨を逸脱しない範囲で種種に変形して実施できるものである。例えば、上記実施形態ではベース部１１の材質としてカーボンを採用したが、非磁性かつ良導電性でＸ線透過率の高い材質であれば、他の材質でも良い。また、本発明での下部受信コイルは頭部を固定するために用いるのに限定されない。例えば、腹部を固定するために用いることも可能である。
【００１７】
【発明の効果】
以上説明した如く、本発明による磁気共鳴イメージング装置用受信コイルによれば、被検体の頭部を脳定位固定具も兼ねる下部の受信コイルで固定した状態で、手術やＭＲＩ撮影、線撮影を行うことのできる。
【図面の簡単な説明】
【図１】本発明において適用されるＭＲＩ装置の構成図。
【図２】本発明における受信コイルの説明図（上部受信コイルを接続する場合の図）。
【図３】本発明において適用されるＸ線診断装置の構成図。
【図４】本発明における受信コイルの説明図（上部受信コイルを取り外した場合の図）。
【符号の説明】
４ａ…上部受信コイル
４ｂ…下部受信コイル
４ｃ…中継コネクタ
【図１】
2004097431.tif 000003
【図２】
2004097431.tif 000004
【図３】
2004097431.tif 000005
【図４】
2004097431.tif 000006